(57)【要約】【課題】検電作業の作業性と検電精度を向上させることができる検電器を提供する。【解決手段】検電器１は、検知部２と、接地部３と、検出部４とを備える。検知部２は電気柵の柵線に対して通電可能に接触可能である。接地部３は、金網に対して通電可能に引掛可能な鉤部３Ａを有し、かつ、イノシシもしくはサルの足裏の面積と略同じ面積の平面形状を有する。検知部２と検出部４が抵抗器５と導線６とを介して通電可能に接続されており、接地部３と検出部４が導線６を介して通電可能に接続されている。接地部３を地面に置き、検知部２を電気柵の柵線に引掛けると、柵線に電圧が印加されていれば柵線から検知部２へ電流が流れ、さらに検出部４へ電流が流れ、そして接地部３へ流れて地面へと流れていく。検出部４の第１の放電管４１と、第２の放電管４２と、第３の放電管４３が発光し、検知部２と接地部３との間の通電を検出する。【選択図】図１
2019007793.tif 000002
【特許請求の範囲】
【請求項１】
検電対象物に対して通電可能に接触可能な検知部と、
接地対象物に対して通電可能に取付可能であり、かつ、所定の面積の平面形状を有する接地部と、
前記検知部と前記接地部とを通電可能に接続しており、かつ、同検知部と同接地部との間の通電を検出可能な検出部とを備える
検電器。
【請求項２】
前記接地部は、接地対象物に対して通電可能に引掛可能な鉤部を有する
請求項１に記載の検電器。
【請求項３】
前記接地部は、接地対象物を通電可能に挟持可能な挟持部を有する
請求項１に記載の検電器。
【請求項４】
前記検知部は、前記検電対象物に対して通電可能に引掛可能である
請求項１、請求項２または請求項３に記載の検電器。
【請求項５】
検電対象物に対して通電可能に接触可能な検知部と、
所定の面積の平面形状を有する接地部と、
前記検知部と前記接地部とを通電可能に接続しており、かつ、同検知部と同接地部との間の通電を検出可能な検出部とを備える
検電器。
【発明の詳細な説明】
【技術分野】
【０００１】
本発明は検電器に関する。詳しくは、例えば、電気柵の柵線が電気を帯びているか否かを判別するための検電器に係るものである。
【背景技術】
【０００２】
イノシシ、鹿、サルなどの野生動物の田畑への侵入を防止するために、田畑の周囲に電気柵が設置されている。
【０００３】
一般的に電気柵は、田畑の周囲に打設された支柱と、支柱に取付けられた碍子に係止されて張設された複数の裸電線と、裸電線に電圧を印加可能な電源装置とを備える。
ここで、複数の裸電線（柵線）は並列配置されており、裸電線からなる上下結線で互いに結線されている。
【０００４】
野生動物が、このような電気柵で囲まれた田畑に侵入しようとして、張設された裸電線に接触すると、野生動物には、動物や人間などに衝撃を与えることができるほど大きい電流（衝撃電流）が流れる。
これによって、野生動物は衝撃を受けて撃退される。
【０００５】
このように電気柵は田畑の周囲に設置されるものであり、田畑は土壌に形成されるものであるから、雑草も生長する。そして、生長した雑草が裸電線に触れると、雑草に衝撃電流が流れ、衝撃電流が地中に漏れてしまう。
【０００６】
衝撃電流が地中に漏れた状態でイノシシなどの野生動物が各裸電線に触れても、衝撃電流が地中に漏れた分、衝撃電圧が低下しているのでイノシシなどの野生動物は退散せずに、電気柵で囲まれた田畑に侵入してしまう。
【０００７】
そこで、電気柵の柵線に、野生動物へ衝撃を与えることができるほど大きい衝撃電流が流れているか、あるいは衝撃電圧が印加されているかを点検する必要がある。
【０００８】
このような点検を行う際に用いられる検電器として、様々な検電器が提案されている。
例えば、特許文献１には、図６に示すような検電器が記載されている。
【０００９】
すなわち、特許文献１に記載の検電器Ａは、検電子１０１と、入力抵抗１０２と、検出部抵抗１０３と、検出部抵抗１０３に並列に接続された電圧計１０４とを備える。
また、検電器Ａは、検出部抵抗１０３と電圧計１０４との接続点Ｐから引き出されたアース線１０８と、アース線１０８の先端部に接続されたアース棒１０９と、検出部抵抗１０３及び電圧計１０４の並列回路と入力抵抗１０２との間に接続されたダイオード１１０とを備える。
【００１０】
アース棒１０９を大地に挿し込み、電力線１０６に検電子１０１を接触させると、電力線１０６が活線状態にあれば入力抵抗１０２、ダイオード１１０、検出部抵抗１０３、アース線１０８を介してアース棒１０９間で電力線電圧に基因する一方向の微小脈流電流が流れる。
この微小脈流電流により発生した電圧降下を電圧計１０４が表示し、電力線１０６が活線状態にあるか否かを識別する。
【先行技術文献】
【特許文献】
【００１１】
【特許文献１】特開平６‐０５８９６１号公報
【発明の概要】
【発明が解決しようとする課題】
【００１２】
野生動物のうち例えばサルは、イノシシなどと異なり、高く跳んだり構造物をよじ登ったりすることができるため、地面に設置された比較的高さが低い電気柵では不充分である。
そのため、サルが出没する場所では、比較的高さが高い金網で田畑を囲み、その金網の上方に電気柵の柵線を配置する必要がある。
【００１３】
そして、このように金網の上方に電気柵の柵線が配置されている場合、サルが柵線に接触するときのサルの足は金網に触れていることが多いため、この場合、接地対象物は金網である。
【００１４】
特許文献１に記載の検電器のアース棒は、金網が接地対象物である場合でも検電精度を保つことはできるが、点検作業者は常に金網にアース棒を接触させておかなければならないため、検電作業の作業性が劣っていた。
【００１５】
また、地面が接地対象物である場合、特許文献１に記載の検電器のアース棒を地中に挿し込むと検電精度が低下し、仮に地中にアース棒を挿し込まずに地面に置いても、アース棒が地面と接触する面積が、イノシシなど野生動物の足裏が地面と接触する面積とは異なるので、検電精度は高くはなかった。
【００１６】
こうした中、検電作業の作業性と検電精度の両方を向上させることができる検電器が望まれていた。
【００１７】
本発明は、以上の点に鑑みて創案されたものであり、検電作業の作業性と検電精度を向上させることができる検電器を提供することを目的とする。
【課題を解決するための手段】
【００１８】
上記の目的を達成するために、本発明の検電器は、検電対象物に対して通電可能に接触可能な検知部と、接地対象物に対して通電可能に取付可能であり、かつ、所定の面積の平面形状を有する接地部と、前記検知部と前記接地部とを通電可能に接続しており、かつ、同検知部と同接地部との間の通電を検出可能な検出部とを備える。
【００１９】
ここで、検電対象物に対して通電可能に接触可能な検知部によって、野生動物が検電対象物例えば電気柵の柵線に接触した状態と同様の状態に検電器を成らしめることができる。
【００２０】
また、接地対象物に対して通電可能に取付可能であり、かつ、所定の面積の平面形状を有する接地部によって、野生動物の足が接地対象物例えば地面や金網に接触した状態と同様の状態に検電器を成らしめることができると共に、点検作業者は検電作業中に接地部から手を離すことができる。
ここで、「所定の面積」とは、野生動物例えばイノシシ、鹿、サルの足裏の面積と略同じ面積を意味する。
【００２１】
また、検知部と接地部とを通電可能に接続しており、かつ、検知部と接地部との間の通電を検出可能な検出部によって、検電対象物例えば電気柵の柵線に接触した野生動物に、電気柵が電気を通電することができるか否かを確認することができる。
【００２２】
また、本発明の検電器において、接地部は、接地対象物に対して通電可能に引掛可能な鉤部を有する構成とすることができる。
【００２３】
この場合、より一層、実際に野生動物が接地対象物例えば地面に立って検電対象物例えば電気柵の柵線に接触した状態と同様の状態で検電作業を行うことができる上に、野生動物が接地対象物例えば金網に登って検電対象物例えば電気柵の柵線に接触した状態と同様の状態で検電作業を行うことができる。
【００２４】
さらに、本発明の検電器において、接地部は、接地対象物を通電可能に挟持可能な挟持部を有する構成とすることができる。
【００２５】
この場合、より一層、実際に野生動物が接地対象物例えば地面に立って検電対象物例えば電気柵の柵線に接触した状態と同様の状態で検電作業を行うことができる上に、野生動物が接地対象物例えば金網に登って検電対象物例えば電気柵の柵線に接触した状態と同様の状態で検電作業を行うことができる。
さらに、接地部を接地対象物例えば金網に安定して取付けることができる。
【００２６】
また、本発明の検電器において、検知部は、検電対象物に対して通電可能に引掛可能である構成とすることができる。
【００２７】
この場合、点検作業者は、接地部からだけでなく検知部からも手を離して検電作業を行うことができる。
【００２８】
また、上記の目的を達成するために、本発明の検電器は、検電対象物に対して通電可能に接触可能な検知部と、所定の面積の平面形状を有する接地部と、前記検知部と前記接地部とを通電可能に接続しており、かつ、同検知部と同接地部との間の通電を検出可能な検出部とを備える。
【００２９】
ここで、検電対象物に対して通電可能に接触可能な検知部によって、野生動物が検電対象物例えば電気柵の柵線に接触した状態と同様の状態に検電器を成らしめることができる。
【００３０】
また、所定の面積の平面形状を有する接地部によって、野生動物の足が接地対象物例えば地面に接触した状態と同様の状態に検電器を成らしめることができると共に、点検作業者は検電作業中に接地部から手を離すことができる。
ここで、「所定の面積」とは、野生動物例えばイノシシ、鹿、サルの足裏の面積と略同じ面積を意味する。
【００３１】
また、検知部と接地部とを通電可能に接続しており、かつ、検知部と接地部との間の通電を検出可能な検出部によって、検電対象物例えば電気柵に接触した野生動物に、電気柵が電気を通電することができるか否かを確認することができる。
【発明の効果】
【００３２】
本発明に係る検電器は、検電作業の作業性と検電精度を向上させることができる。
【図面の簡単な説明】
【００３３】
【図１】本発明を適用した検電器の第１の実施態様を示す概略図である。
【図２】本発明を適用した検電器の第２の実施態様を示す概略図である。
【図３】本発明を適用した検電器が備える接地部の、第１の変形例を示す概略図（ａ）と、第２の変形例を示す概略図（ｂ）と、第３の変形例を示す概略図（ｃ）である。
【図４】本発明の検電器を用いて、地面に設置された電気柵の柵線の検電作業を行う様子の一例を示す概略図である。
【図５】本発明の検電器を用いて、金網の上方に配置された、電気柵の柵線の検電作業を行う様子の一例を示す概略図である。
【図６】従来の検電器を示す概略図である。
【発明を実施するための形態】
【００３４】
以下、本発明の実施の形態について図面を参照しながら説明し、本発明の理解に供する。
図１は、本発明を適用した検電器の第１の実施態様を示す概略図である。
【００３５】
図１に示す本発明の検電器１は、本体１Ａを備える。
【００３６】
また、本発明の検電器１は、電気柵の柵線に対して通電可能に接触可能な検知部２を備える。
また、電気柵の柵線は、検電対象物の一例である。
【００３７】
ここで、図１に示すように、検知部２は鉤形状を有しており、電気柵の柵線に対して通電可能に引掛可能である。
【００３８】
また、本発明の検電器１は、接地部３を備える。
ここで、接地部３は、金網に対して通電可能に引掛可能であり、かつ、イノシシもしくはサルの足裏の面積と略同じ面積の平面形状を有する。すなわち、金網に接地部３を引掛けることで取付けることができる。
また、金網は接地対象物の一例である。
【００３９】
また、接地部３は、野球のホームベースの形状と類似した略五角形状を有する。
また、接地部３は、金網に対して通電可能に引掛可能な鉤部３Ａを有する。
【００４０】
ここで、鉤部３Ａは、中心線上に位置する五角形の頂点から突出した片で形成されている。
この片は、接地部３の平面部分に対して対向して略平行な部分と、この略平行な部分の端部と平面部分とを接続する湾曲部分とで構成されている。
また、接地部３の平面部分に対して対向して略平行な部分と、接地部３の平面部分との間の距離は、例えば金網を構成する金属線の外径と略同じか、もしくは金属線の外径よりもわずかに長い。
【００４１】
ここで、図示していないが、「中心線」は、接地部３の略中心部分を長手方向と同じ方向に通る実体の無い線を意味し、「頂点」とは、接地部３が有する角の中で内角が一番小さい角を意味する。
【００４２】
また、図１に示すように、鉤部３Ａが、接地部３の中心線上に位置する角例えば頂点から突出しており、かつ、接地部３の平面部分に対して対向して略平行な部分と、この略平行な部分の端部と接地部３の平面部分とを接続する湾曲部分とで構成されており、かつ、接地部３の平面部分に対して略平行な部分と、接地部３の平面部分との間の距離が、金網を構成する金属線の外径と略同じか、もしくは金属線の外径よりもわずかに長いので、接地部３の平面部分と金網との接触面積を増大させることができ、より一層、本発明の検電器１を、サルなどの野生動物の足が金網に接触した状態と同様の状態に成らしめることができる。
【００４３】
また、鉤部３Ａが、接地部３の中心線上の位置から突出しているので、接地部３を金網に引掛けたときに接地部３が安定して金網に取付けられた状態となる。
【００４４】
また、鉤部が、接地部３の縁から接地部３の平面部分と略同一平面内に突出しており、かつ、接地部３の縁に対して対向して略平行な部分と、この略平行な部分の端部と接地部３の縁とを接続する湾曲部分とで構成されている場合も、金網に対して通電可能に引掛可能である。
しかし、この場合、接地部３は金網に対して略直交した状態で金網に引掛けられることになり、接地部３の平面部分と金網とがほとんど接触しないので好ましくない。
【００４５】
また、本発明の検電器１は、検出部４を備える。図１に示すように、検出部４は本体１Ａ内に内蔵されている。
【００４６】
ここで、検出部４は、図１に示すように、第１の放電管４１及び第１の検出抵抗器４１Ａで構成された並列回路と、第２の放電管４２及び第２の検出抵抗器４２Ａで構成された並列回路と、第３の放電管４３及び第３の検出抵抗器４３Ａで構成された並列回路とを有する。
【００４７】
また、本体１Ａ内には、第１の放電管４１及び第１の検出抵抗器４１Ａで構成された並列回路と、一端が通電可能に接続された抵抗器５が内蔵されている。
【００４８】
また、抵抗器５の他端は、導電性を有する導線６を介して、検知部２と通電可能に接続されている。
【００４９】
また、鉤部３Ａが形成された接地部３の頂点とは反対側と、検出部４の、第３の放電管４３及び第３の検出抵抗器４３Ａで構成された並列回路とが、導線６を介して通電可能に接続されている。
【００５０】
また、このような構成の検出部４に電流が流れることによって、第１の放電管４１と、第２の放電管４２と、第３の放電管４３が発光する。
すなわち、検出部４は、検知部２と接地部３とを通電可能に接続しており、かつ、検知部２と接地部３との間の通電を検出可能である。
【００５１】
ここで、発光する放電管の数によって、衝撃電流の強弱を判断することができる。
例えば、第１の放電管４１と、第２の放電管４２と、第３の放電管４３が発光した場合すなわち発光した放電管の数が３つである場合、イノシシなどの野生動物が受ける衝撃電流の度合いは「強」であり、野生動物の撃退効果を期待できる。
【００５２】
また、例えば、第２の放電管４２と、第３の放電管４３が発光した場合すなわち発光した放電管の数が２つである場合、イノシシなどの野生動物が受ける衝撃電流の度合いは「中」であり、野生動物の撃退効果は不確かである。
この場合、漏電している可能性があり、柵線の点検が勧められる。
【００５３】
また、例えば、第３の放電管４３のみが発光した場合すなわち発光した放電管の数が１つである場合、イノシシなどの野生動物が受ける衝撃電流の度合いは「弱」であり、野生動物の撃退効果を期待できない。
この場合、漏電しており、柵線の点検が必要である。
【００５４】
また、放電管が発光しない場合すなわち発光した放電管の数が「０（ゼロ）」である場合、イノシシなどの野生動物が受ける衝撃電流はほぼ無い。
この場合、漏電しており、柵線の点検が必要である。
【００５５】
なお、放電管の数が３つである場合を説明したが、必ずしもこれに限定されるものではなく、放電管の数を４つ以上にすることもできるし、放電管の数を３つ未満にすることもできる。
【００５６】
図２は、本発明を適用した検電器の第２の実施態様を示す概略図である。
【００５７】
図２に示す本発明の検電器２１は、本体２１Ａを備える。
また、本発明の検電器２１は、本発明の検電器１と同じ検知部２を備える。
【００５８】
また、本発明の検電器２１は、導電性を有する接地部２３を備える。
ここで、接地部２３は、所定の面積の平面形状を有する。また、接地部２３の一方の面と、この面とは反対側の他方の面との間を貫通する貫通孔２３Ａが形成されている。
【００５９】
また、接地対象物である金網の、例えば突出した金属線を貫通孔２３Ａに挿通させることにより、接地部２３を金網に引掛けることができる。
すなわち、接地部２３は、接地対象物である金網に、通電可能に引掛可能である。
【００６０】
また、接地部２３は、野球のホームベースの形状と類似した略五角形状を有する。
また、図１に示す接地部３とは異なり、図２に示す接地部２３は鉤部を有していない。
【００６１】
また、本発明の検電器２１は、本発明の検電器１と同じ検出部４を備える。図２に示すように検出部４は本体２１Ａ内に内蔵されている。
【００６２】
また、本体２１Ａ内に、検出部４と一端が通電可能に接続された抵抗器５が内蔵されている。
【００６３】
また、抵抗器５の他端は、導線６を介して、検知部２と通電可能に接続されている。
【００６４】
また、接地部２３の頂点とは反対側と検出部４とが、導線６を介して通電可能に接続されている。
また、検出部４は、検知部２と接地部２３とを通電可能に接続しており、かつ、検知部２と接地部２３との間の通電を検出可能である。
【００６５】
また、本発明の検電器２１は、検出部４を流れる電流の電流値もしくは電圧値を測定可能な測定部２６を備える。
また、本発明の検電器２１は、測定部２６が測定して得られた電流値もしくは電圧値を表示可能な表示部２７を備える。
【００６６】
また、本発明の検電器２１は、取替え可能な電池２８を備える。ここで、電池２８は、測定部２６に電力を供給可能である。
【００６７】
また、測定部２６と、表示部２７と、電池２８は、本体２１Ａに内蔵されている。
【００６８】
図３（ａ）は、本発明を適用した検電器が備える接地部の、第１の変形例を示す概略図である。また、図３（ｂ）は、本発明を適用した検電器が備える接地部の、第２の変形例を示す概略図である。また、図３（ｃ）は、本発明を適用した検電器が備える接地部の、第３の変形例を示す概略図である。
【００６９】
図３（ａ）に示す接地部３は、図１に示す接地部３と同様に鉤部３Ａを有するが、接地部３の形状が異なると共に、図３（ａ）に示す鉤部３Ａの位置が、図１に示す鉤部３Ａの位置と異なる。
すなわち、図３（ａ）に示す接地部３の頂点は中心線上に位置しておらず、また、鉤部３Ａも接地部３の中心線上に位置していない。
【００７０】
また、図３（ｂ）に示す接地部３は、図１に示す接地部３と同様に鉤部３Ａを有し、図１に示す接地部３の形状と略同じであるが、図３（ｂ）に示す鉤部３Ａの位置が、図１に示す鉤部３Ａの位置と異なる。
【００７１】
すなわち、図３（ｂ）に示す鉤部３Ａは、接地部３の中心線上に位置していない。
また、図３（ｂ）に示す鉤部３Ａは、接地部３の縁から略Ｌ字形に切れ込みを入れて一部が接地部３に繋がった片を形成し、その片を持上げて接地部３の平面部分に対応する部分に対して略平行な部分と、この略平行な部分の端部と平面部分とを接続する湾曲部分とを構成して形成されたものである。
【００７２】
また、図３（ｃ）に示す接地部３は、金網を通電可能に挟持可能な挟持部３Ｂを有する。
ここで、挟持部３Ｂは、バネ体３１Ｂと、バネ体３１Ｂに連結された金属製の枠状の押圧体３２Ｂとを有する。
また、バネ体３１Ｂは、接地部３の中心線上に位置する五角形の頂点に隣接する平面上に取付けられている。
【００７３】
また、バネ体３１Ｂは、押圧体３２Ｂを接地部３の平面に押し付ける付勢力を押圧体３２Ｂに与えており、押圧体３２Ｂはこの付勢力に基づいて金網の金属線を通電可能に挟持することができる。
すなわち、押圧体３２Ｂを接地部３の平面から手で引き離した後、手を押圧体３２Ｂから離すと、押圧体３２Ｂは付勢力で再び接地部３の平面を押す。
【００７４】
また、同様に検知部も、例えばバネの付勢力に基づいて検電対象物を通電可能に挟持可能な挟持部を有することができる。
【００７５】
また、接地部は、必ずしも金網すなわち接地対象物に通電可能に引掛可能でなくてもよく、例えば貫通孔が形成されていなくてもよく、あるいは鉤部を有していなくてもよく、あるいは挟持部を有していなくてもよい。
【００７６】
しかし、接地部が接地対象物に通電可能に引掛可能であれば、すなわち例えば貫通孔が形成されていたり、鉤部を有していたり、挟持部を有していたりすれば、より一層、実際に野生動物が接地対象物例えば地面に立って検電対象物例えば電気柵の柵線に接触した状態と同様の状態で検電作業を行うことができる上に、野生動物が接地対象物例えば金網に登って検電対象物に接触した状態と同様の状態で検電作業を行うことができるので好ましい。
特に、接地部が挟持部を有していれば、接地部を接地対象物例えば金網に安定して取付けることができるので好ましい。
【００７７】
また、検知部は、必ずしも電気柵の柵線すなわち検電対象物に対して通電可能に引掛可能でなくてもよい。
【００７８】
しかし、検知部が検電対象物に対して通電可能に引掛可能であれば、点検作業者は、接地部からだけでなく検知部からも手を離して検電作業を行うことができるので好ましい。
【００７９】
また、接地部は、必ずしも野球のホームベースの形状と類似した略五角形状を有していなくてもよく、例えば円形状、略三角形状、略四角形状、略六角形状を有することもできる。
【００８０】
また、接地部は、鉤部を２つ以上有することもできる。
また、接地部に形成される貫通孔の形状や数に制限はなく、例えば略三角形状、略四角形状、あるいは略六角形状の貫通孔が複数形成される構成とすることもできる。
【００８１】
また、検出部は、必ずしも放電管を有していなくてもよく、例えば、通電すると振動したり音が鳴ったりして検知部と接地部との間の通電を検出することもできる。
【００８２】
次に、本発明の検電器の使用方法の一例を説明する。
図４は、本発明の検電器を用いて、地面に設置された電気柵の柵線の検電作業を行う様子の一例を示す概略図である。
【００８３】
ここで、電気柵は、田畑の周囲に打設された支柱５２と、支柱５２に取付けられた複数の碍子５３それぞれに係止されて張設された複数の裸電線である柵線５１と、図示していないが柵線５１に電圧を印加可能な電源装置とを備える。
【００８４】
本発明の検電器１の本体１Ａから延びる導線６を介して検出部４と通電可能に接続された、イノシシの足裏の面積と略同じ面積の平面形状を有する接地部３を地面５４に置き、点検作業者が足５５で接地部３を踏む。
【００８５】
次に、鉤形状を有する検知部２を、柵線５１の一つに引掛ける。
【００８６】
検知部２が引掛けられた柵線５１に電圧が印加されていれば、柵線５１から検知部２へ電流が流れる。
【００８７】
また、検知部２は、抵抗器５を介在して検出部４と通電可能に接続されているので、柵線５１から検知部２へ流れた電流は、さらに検出部４へ流れる。
【００８８】
また、接地部３と検出部４も導線６を介して通電可能に接続されているので、検出部４へ流れた電流は、さらに接地部３へ流れ、そして地面５４へと流れていく。
【００８９】
また、検出部４が有する、第１の放電管４１と、第２の放電管４２と、第３の放電管４３が発光し、検知部２と接地部３との間の通電を検出部４が検出する。
【００９０】
ここで、発光する放電管の数によって、衝撃電流の強弱を判断することができる。
発光した放電管の数が３つである場合、イノシシなどの野生動物が受ける衝撃電流の度合いは「強」であり、野生動物の撃退効果を期待できる。
【００９１】
また、発光した放電管の数が２つである場合、イノシシなどの野生動物が受ける衝撃電流の度合いは「中」であり、野生動物の撃退効果は不確かである。
【００９２】
また、発光した放電管の数が１つである場合、イノシシなどの野生動物が受ける衝撃電流の度合いは「弱」であり、野生動物の撃退効果を期待できない。
【００９３】
また、発光した放電管の数が「０（ゼロ）」である場合、イノシシなどの野生動物が受ける衝撃電流はほぼ無い。
【００９４】
ここで、接地部３の平面形状の面積は、イノシシの足裏の面積と略同じなので、検知部２が柵線５１の一つに引掛けられると共に接地部３が地面５４に置かれた状態は、イノシシが地面５４に立って柵線５１に接触した状態と同様の状態となり、本発明の検電器１を用いることで、点検作業者は、実際にイノシシが柵線５１に接触したときにイノシシに対して有効な衝撃電流もしくは衝撃電圧が掛かっているか否かを正しく判断できる。
【００９５】
図５は、本発明の検電器を用いて、金網の上方に配置された、電気柵の柵線の検電作業を行う様子の一例を示す概略図である。
【００９６】
ここで、電気柵は、田畑の周囲に打設された支柱５２と、支柱５２に取付けられた複数の碍子５３それぞれに係止されて張設された裸電線である柵線５１と、図示していないが柵線５１に電圧を印加可能な電源装置とを備える。
【００９７】
なお、同じく田畑の周囲に設置された、高さが例えば１．５ｍの金網５６の上方に、電気柵の柵線が配置されるよう、図５に示す電気柵の支柱５２は、図４に示す電気柵の支柱５２よりも長い。
また、金網の上部に直接、支柱を取付けることもできる。
【００９８】
本発明の検電器１の本体１Ａから延びる導線６を介して検出部４と通電可能に接続された、サルの足裏の面積と略同じ面積の平面形状を有する接地部３の鉤部３Ａを、金網５６の金属線５６Ａに引掛ける。
【００９９】
次に、鉤形状を有する検知部２を、柵線５１の一つに引掛ける。
【０１００】
検知部２が引掛けられた柵線５１に電圧が印加されていれば、柵線５１から検知部２へ電流が流れる。
【０１０１】
その後は、図４に示す検電作業と同様に検出部４及び接地部３へと電流が流れる。そして、金網を伝って地面へと電流が流れていく。
このとき、検出部４が有する、第１の放電管４１と、第２の放電管４２と、第３の放電管４３が発光し、検知部２と接地部３との間の通電を検出する。
【０１０２】
ここで、発光する放電管の数によって、衝撃電流の強弱を判断することができる。
発光した放電管の数が３つである場合、イノシシなどの野生動物が受ける衝撃電流の度合いは「強」であり、野生動物の撃退効果を期待できる。
【０１０３】
また、発光した放電管の数が２つである場合、イノシシなどの野生動物が受ける衝撃電流の度合いは「中」であり、野生動物の撃退効果は不確かである。
【０１０４】
また、発光した放電管の数が１つである場合、イノシシなどの野生動物が受ける衝撃電流の度合いは「弱」であり、野生動物の撃退効果を期待できない。
【０１０５】
また、発光した放電管の数が「０（ゼロ）」である場合、イノシシなどの野生動物が受ける衝撃電流はほぼ無い。
【０１０６】
ここで、接地部３の平面形状の面積は、サルの足裏の面積と略同じなので、検知部２が柵線５１の一つに引掛けられると共に接地部３が金網５６の金属線５６Ａに引掛けられた状態は、サルが金網５６によじ登って柵線５１に接触した状態と同様の状態となり、本発明の検電器１を用いることで、点検作業者は、実際にサルが柵線５１に接触したときにサルに対して有効な衝撃電流もしくは衝撃電圧が掛かっているか否かを正しく判断できる。
【０１０７】
また、図５に示すように本発明の検電器１を、柵線５１と金属線５６Ａとに吊り下げることができ、その結果、点検作業者は本発明の検電器１から両手を離すことができるので、両手がふさがることもなく安全であり、間違って接地部３に触れてしまうこともなく、点検作業者が感電する心配もない。
【０１０８】
以上のように、本発明の検電器は、電気柵の柵線すなわち検電対象物に対して通電可能に接触可能な検知部を備えているので、イノシシ、鹿もしくはサルすなわち野生動物が検電対象物に接触した状態と同様の状態に検電器を成らしめることができる。
【０１０９】
また、本発明の検電器は、野生動物の足裏の面積と略同じ面積すなわち所定の面積の平面形状を有する接地部を備えているので、野生動物の足が接地対象物に接触した状態と同様の状態に検電器を成らしめることができると共に、点検作業者は検電作業中に接地部から手を離すことができる。
【０１１０】
また、本発明の検電器は、検知部と接地部とを通電可能に接続しており、かつ、検知部と接地部との間の通電を検出可能な検出部を備えているので、検電対象物に接触した野生動物に、検電対象物が電気を通電することができるか否かを確認することができる。
【０１１１】
従って、本発明の検電器は、検電作業の作業性と検電精度を向上させることができる。
【符号の説明】
【０１１２】
１      検電器
１Ａ    本体
２      検知部
３      接地部
３Ａ    鉤部
３Ｂ    挟持部
３１Ｂ  バネ体
３２Ｂ  押圧体
４      検出部
４１    第１の放電管
４２    第２の放電管
４３    第３の放電管
４１Ａ  第１の検出抵抗器
４２Ａ  第２の検出抵抗器
４３Ａ  第３の検出抵抗器
５      抵抗器
６    導線
２１    検電器
２１Ａ  本体
２３    接地部
２３Ａ  貫通孔
２６    測定部
２７    表示部
２８    電池
５１    柵線
５２    支柱
５３    碍子
５４    地面
５５    足
５６    金網
５６Ａ  金属線
【図１】
2019007793.tif 000003
【図２】
2019007793.tif 000004
【図３】
2019007793.tif 000005
【図４】
2019007793.tif 000006
【図５】
2019007793.tif 000007
【図６】
2019007793.tif 000008